(57)【特許請求の範囲】
【請求項１】
第１部材の溝形部の両側壁のそれぞれに取付け孔が設けられると共に、該第１部材の溝形部内に嵌め込み状態にされる第２部材に、前記各取付け孔に対応する取付け孔が設けられ、
コの字形をしてその両側壁のそれぞれからピンを突出させた連結金物の各ピンが、該連結金物のコの字形部分の弾性的な変形と復元の動作によって、第１部材の溝形部の取付け孔と第２部材の取付け孔とにわたすように差し込まれて部材同士を連結していることを特徴とする部材同士の連結構造。
【請求項２】
前記ピンの先端面が斜面に形成され、
各ピンの基端側が差し込まれる取付け孔を有する部材にピン差し状態に先付けされた連結金物のコの字形部分を、前記ピン先端の斜面を利用し、各ピンの先端側が差し込まれる取付け孔を有する部材によって弾性変形させて該部材の取付け孔にピン差し状態にすることができるようになされている請求項１に記載の部材同士の連結構造。
【請求項３】
前記第２部材において、第１部材の溝形部内に嵌め込み状態にされる部分が溝形部からなり、該溝形部内に連結金物のコの字形部分が設置され、該連結金物のピンが該溝形部の両側壁に設けられた取付け孔に溝内から差し込み状態にされている請求項１又は２に記載の部材同士の連結構造。
【発明の詳細な説明】
【技術分野】
【０００１】
本発明は、溝形鋼等の部材同士の連結構造に関する。
【背景技術】
【０００２】
例えば、図７（イ）に示すような外壁パネルのパネルフレーム５０の製作において、溝形鋼からなるフレーム材５１，５２同士を連結する方法として、図７（ロ）に示すように、フレーム材５１の溝内に他のフレーム材５２の端部を嵌め込み状態にし、両フレーム材５１，５２を溶接ｗ，ｗで接合したり、あるいは、図７（ハ）に示すように、ビス５３，５３で止めたりすることは、従来より行われている。
【発明の開示】
【発明が解決しようとする課題】
【０００３】
しかしながら、溶接ｗ，ｗによる連結には特殊技能が必要であり、しかも、両側を溶接しておく必要があって手間を要し、また、外壁パネルフレームの場合、溶接後に塗装処理をしなければならないという問題がある。
【０００４】
また、ビス５３，５３による連結では、両側からビス止めをしておく必要があり、連結に手間を要するという問題がある。
【０００５】
本発明は、上記のような問題点に鑑み、溝形部を有する第１部材と、該第１部材の溝形部内に嵌め込み状態にされた第２部材とを容易に連結することができる部材同士の連結構造を提供することを課題とする。
【課題を解決するための手段】
【０００６】
上記の課題は、第１部材の溝形部の両側壁のそれぞれに取付け孔が設けられると共に、該第１部材の溝形部内に嵌め込み状態にされる第２部材に、前記各取付け孔に対応する取付け孔が設けられ、
コの字形をしてその両側壁のそれぞれからピンを突出させた連結金物の各ピンが、該連結金物のコの字形部分の弾性的な変形と復元の動作によって、第１部材の溝形部の取付け孔と第２部材の取付け孔とにわたすように差し込まれて部材同士を連結していることを特徴とする部材同士の連結構造によって解決される。
【０００７】
この構造によれば、溝形部を有する第１部材と、該第１部材の溝形部内に嵌め込み状態にされた第２部材とを、連結金物のコの字形部分を弾性的に変形と復元をさせることによって両部材の両側を一度にピン差し状態にして連結することができ、第１部材と第２部材とを容易に連結することができる。
【０００８】
しかも、コの字形部分が取付け孔からのピンの抜けを阻止するように働き、ピンを部材の取付け孔に差し込み状態にするたけで、ピンをしっかりとした抜止め状態にすることができる。
【０００９】
上記の連結構造において、前記ピンの先端面が斜面に形成され、
各ピンの基端側が差し込まれる取付け孔を有する部材にピン差し状態に先付けされた連結金物のコの字形部分を、前記ピン先端の斜面を利用し、各ピンの先端側が差し込まれる取付け孔を有する部材によって弾性変形させて該部材の取付け孔にピン差し状態にすることができるようになされているとよい。
【００１０】
この構造では、各ピンの先端側が差し込まれる取付け孔を有する部材の取付け孔に対して連結金物の各ピンをピン先端の斜面を利用して容易に差し込むことができ、部材同士の連結をより一層容易にすることができる。
【００１１】
また、上記の第２部材において、第１部材の溝形部内に嵌め込み状態にされる部分が溝形部からなり、該溝形部内に連結金物のコの字形部分が設置され、該連結金物のピンが該溝形部の両側壁に設けられた取付け孔に溝内から差し込み状態にされているとよい。
【００１２】
この場合は、第１部材の溝形部に対する連結位置を変更する場合に、その変更の過程で、連結金物を、第１部材からは取り外す必要があるが、第２部材に対しては取り付けたままにしておくことができ、第１部材に対する第２部材の連結位置の変更を容易に行うことができる。
【発明の効果】
【００１３】
本発明は、以上のとおりのものであるから、溝形部を有する第１部材と、該第１部材の溝形部内に嵌め込み状態にされた第２部材とを容易に連結することができる。
【発明を実施するための最良の形態】
【００１４】
次に、本発明の実施最良形態を図面に基づいて説明する。
【００１５】
図１及び図２に示す第１実施形態の連結構造は、外壁パネルのパネルフレーム１に適用した場合のもので、２は第１部材としての溝形鋼からなる下枠、３は第２部材としての同じく溝形鋼からなる縦桟、４は連結金物である。
【００１６】
縦桟３は、その端部が絞られて、下枠２の溝内に嵌め込み状態にすることができるようになされており、下枠２の両側壁２ａ，２ａのそれぞれには取付け孔２ｂ，２ｂが設けられ、また、縦桟３の両側壁３ａ，３ａにも、下枠２の各取付け孔２ｂ，２ｂに対応する取付け孔３ｂ，３ｂが設けられている。
【００１７】
また、連結金物４は、縦桟３の端部の溝内に設置可能なコの字形部分５を備えたピース物からなっていて、その両側壁５ａ，５ａのそれぞれからピン６，６が外向き突出状態に設けられ、コの字形部分５は、その両側壁５ａ，５ａが開閉する方向に弾性的に変形と復元を行うことができるようなバネ性を備えており、各ピン６，６の先端６ａ，６ａは、コの字形部分５の開放側に向けて外方に傾斜する斜面に形成され、各ピン６，６の長さは、下枠２と縦桟３の取付け孔２ｂ，３ｂにわたした差し込み状態を形成することができる寸法に設計されている。
【００１８】
下枠２と縦桟３との連結は、図２（イ）（ロ）に示すように、まず、連結金物４を縦桟３に先付けしておく。即ち、連結金物４のコの字形部分５を、その両側壁５ａ，５ａが内向きになるように弾性変形させることでピン６，６の先端間の間隔寸法を小さくし、縦桟３の溝内に入れ、各ピン６，６の先端を縦桟３の両側壁３ａ，３ａの取付け孔３ｂ，３ｂの位置に一致させ、コの字形部分５を復元させてピン６，６を取付け孔３ｂ，３ｂに差し込み状態にして取り付ける。
【００１９】
なお、連結金物４は、図示するように、縦桟３の端部側から溝内に入れてピン差し状態にするようにしてもよいし、縦桟３の溝の開口側から入れてピン差し状態にするようにしてもよいし、縦桟３の溝の開口側から入れ、縦桟３の端部側に移動させてピン差し状態にするようにしてもよく、特に制限はない。
【００２０】
この取付け状態において、連結金物４のコの字形部分５は、取付け孔２ｂ，３ｂからのピン６，６の抜けを阻止するように働き、ピン６を縦桟３の取付け孔３ｂ，３ｂに差し込み状態にするたけで、ピン６，６をしっかりとした抜止め状態にすることができる。
【００２１】
また、連結金物４には、コの字形部分５の両側壁５ａ，５ａの基端側に外方に張り出す回り止め５ｂ…が備えられ、該回り止め５ｂ…が縦桟３の先端面に当接することで、連結金物４がピン軸線回りで回転するのが確実に阻止されるようになされている。
【００２２】
しかる後、図２（ロ）（ハ）に示すように、縦桟３の端部を下枠２の溝内に嵌め込んでいく。この嵌め込み過程で、連結金物４の各ピン６，６の先端斜面６ａ，６ａが下枠２の両側壁２ａ，２ａの上縁と干渉し、ピン６，６に内向きの力が作用して、連結金物４のコの字形部分５が内向きに弾性変形をし、ピン６，６が下枠２の両側壁２ａ，２ａの取付け孔２ｂ，２ｂの位置に位置するところまで移動すると、コの字形部分５が外開き方向に復元し、ピン６，６が下枠２の両側壁２ａ，２ａの取付け孔２ｂ，２ｂ内に差し込まれ、縦桟３と下枠２とが連結金物４で連結される。
【００２３】
このように、上記の連結構造によれば、下枠２と、該下枠２の溝内に嵌め込み状態にされる縦桟３とを、連結金物４のコの字形部分５を弾性的に変形と復元をさせることによって両部材２，３の両側を一度にピン差し状態にして連結することができ、下枠２と縦桟３とを容易に連結することができ、また、溶接による場合のような塗装も必要ない。
【００２４】
特に、本実施形態では、連結金物４のピン６，６の先端面６ａ，６ａが斜面に形成されているので、下枠２の両側壁２ａ，２ａの取付け孔２ｂ，２ｂに対して連結金物４の各ピン６，６をピン先端の斜面６ａ，６ａを利用して容易に差し込み状態にすることができ、下枠２と縦桟３とを非常に容易に連結することができる。即ち、本実施形態では、下枠２を「各ピンの先端側が差し込まれる取付け孔を有する部材」とし、縦桟３を「各ピンの基端側が差し込まれる取付け孔を有する部材」としている。
【００２５】
図３に示す第２実施形態の連結構造は、同じく外壁パネルのパネルフレームに適用した場合のものであるが、本実施形態では、パネルフレーム１が、溝形鋼からなる上下の横桟８，８によって目の字形に構成されており、溝形鋼からなる左右の側枠７の両側壁７ａ，７ａには、複数対の取付け孔７ｂ，７ｂ…が上下方向に互いに間隔をおくようにして列設され、いずれかの高さ位置に備えられた対の取付け孔７ｂ，７ｂに連結金物４のピン６，６の先端側が差し込まれて横桟８の端部が側枠７に連結されている。
【００２６】
この連結構造によれば、側枠７の両側壁７ａ，７ａに複数対の取付け孔７ｂ，７ｂ…が上下方向に互いに間隔をおくようにして列設されているので、横桟８を取り付ける高さ位置を、列設された取付け孔７ｂ，７ｂ…を利用して容易に変更することができ、例えば、リフォーム時に上下の横桟８，８の高さ位置を変更することで開口部サイズを容易に変えることが可能となる。
【００２７】
特に、本実施形態では、側枠７を「各ピンの先端側が差し込まれる取付け孔を有する部材」としているので、横桟８の高さ位置を変更する過程で、連結金物４は横桟８にそのまま取り付かせておくことができ、横桟８に対する連結金物４の脱着作業を排除することができて、横桟８の高さ位置の変更を容易に行うことができる。なお、側枠７の取付け孔７ｂ，７ｂは、列設しておくことなく、横桟８の高さ位置を変更する際に、所望の高さ位置に穿孔して新たに形成するようにしてもよい。
【００２８】
図４及び図５に示す第３実施形態は、第１実施形態の変形例で、連結金物４のコの字形部分５の両側壁５ａ，５ａの基端側に備えられていた回り止めが省略され、両側壁５ａ，５ａの先端部に外方に張り出す回り止め５ｂ，５ｂが形成されており、両側壁５ａ，５ａをつなぐ中間壁部５ｃを縦桟３の溝内の基端側に位置させるようにして取り付ける構造となされており、図５（イ）に示すように、縦桟３に対する連結金物４の先付け作業、即ち、連結金物４のコの字形部分５を撓ませて縦桟３の溝内に入れる作業を容易にすることができる。該連結金物４は、第２実施形態の連結構造における連結金物４に替えて用いることも、もちろん可能である。
【００２９】
図６に示す第４実施形態は、第１実施形態の更なる変形例であり、連結金物４のピン６，６がコの字形部分５の両側壁５ａ，５ａに内向き突出状態に備えられており、該コの字形部分５は下枠２に対して外嵌め状態に設置され、ピン６，６が下枠２の両側壁２ａ，２ａの取付け孔２ｂ，２ｂに外側から差し込まれるようになされている。即ち、縦桟３を「各ピンの先端側が差し込まれる取付け孔を有する部材」とし、下枠２を「各ピンの基端側が差し込まれる取付け孔を有する部材」とし、連結金物４は、図６（イ）に示すように、下枠２に先付けされ、ピン６，６は、図６（ロ）（ハ）に示すように、その先端斜面部６ａ，６ａを利用して縦桟３でコの字形部分５を外向きに弾性的形させて縦桟３の取付け孔３ｂ，３ｂに差し込むことができるようになされている。
【００３０】
以上に、本発明の実施形態を示したが、本発明はこれに限られるものではなく、発明思想を逸脱しない範囲で各種の変更が可能である。例えば、上記の実施形態では、上記の実施形態では、第１部材と第２部材がともに溝形鋼からなる場合を示したが、第１部材は横断面において溝形部を一部に備えた例えばＨ形鋼からなっていてもよい。
【００３１】
また、第４実施形態の場合のように連結金物のコの字形部分が第１部材である下枠の溝形部の部分に外嵌め状態に取り付けられるような場合などにおいては、第１部材の溝形部に嵌め込まれる第２部材は溝形部を備えない取付け孔付き部材からなっていてもよい。
【００３２】
また、上記の実施形態では、連結金物を一方の部材に先付けされた連結金物で部材同士を連結することができる構造に構成されているが、部材の取付け孔同士を芯合わせ状態にしてからこれら芯合わせ状態の両取付け孔に連結金物のピンを差し込んでわたすようにしてもよいし、そのような連結構造に構成されていてもよい。
【００３３】
更に、上記の実施形態では、連結金物がピース物からなる場合を示したが、コの字形部分が弾性的な変形と復元を行うことができるものであれば、長尺物からなっていてもよいし、具体的な形態に特段の制限はない。
【００３４】
また、上記の実施形態では、本発明の連結構造を、外壁パネルのパネルフレームを構成する鋼材同士の連結に用いた場合を示したが、本発明の連結構造は、パネルフレームを構成する鋼材同士を連結する場合への適用に限らないし、また、第１部材や第２部材の材質、連結金物の材質についても制限はないし、更に、第１部材と第２部材とを、Ｔ字形に連結する場合に限らず、Ｌ字形や直線状に連結する場合など各種場合に用いることができるものであることはいうまでもない。
【図面の簡単な説明】
【００３５】
【図１】第１実施形態の連結構造を示すもので、図（イ）は連結部分の分解斜視図、図（ロ）は同連結構造が適用されるパネルフレームの正面図である。
【図２】図（イ）〜図（ハ）は同連結構造における連結方法の一例を順次に示す断面側面図である。
【図３】第２実施形態の連結構造を示すもので、図（イ）は連結部分の分解斜視図、図（ロ）は同連結構造が適用されるパネルフレームの正面図である。
【図４】第３実施形態の連結構造を示すもので、連結部分の分解斜視図である。
【図５】図（イ）〜図（ハ）は同連結構造における連結方法の一例を順次に示す断面側面図である。
【図６】第４実施形態の連結構造を示すもので、図（イ）〜図（ハ）は同連結構造における連結方法の一例を順次に示す断面側面図である。
【図７】従来例を示すもので、図（イ）はパネルフレームの正面図、図（ロ）及び図（ハ）はフレーム材同士の連結構造を示す断面側面図である。
【符号の説明】
【００３６】
２…下枠（第１部材）
２ａ…側壁
２ｂ…取付け孔
３…縦桟（第２部材）
３ｂ…取付け孔
４…連結金物
５…コの字形部分
６…ピン
６ａ…斜面
７…側枠（第１部材）
７ａ…側壁
７ｂ…取付け孔
８…横桟（第２部材）
８ｂ…取付け孔
【図１】
0004652184.tif 000002
【図２】
0004652184.tif 000003
【図３】
0004652184.tif 000004
【図４】
0004652184.tif 000005
【図５】
0004652184.tif 000006
【図６】
0004652184.tif 000007
【図７】
0004652184.tif 000008